(57)【要約】【課題】周囲に対して邪魔になりにくく、且つ効率良く配光することができること。【解決手段】照明器具１は、支柱３とアーム４と灯具５とを備える。支柱３は上下方向に立設される。アーム４は支柱３の上端部から前方に延出する。灯具５はアーム４の先端部に配設されて図示しないランプを収納する。そして、灯具５は、上下方向から見たときにアーム４の延出方向に対して交差方向にスライド自在に支持される。すなわち、灯具５は左右方向に沿ったスライドによる変位が可能であり、灯具５に収納されるランプの照射範囲を左右方向に沿って移動させることができる。また、前記スライドの際に従来の照明器具のように灯具５の一部が延出方向へも移動してしまうといったことがなく、灯具５が作業の邪魔になることはない。従って、照明器具１は、周囲に対して邪魔になりにくく、且つ効率良く配光することができる。【選択図】図１
2011060515.tif 000002
【特許請求の範囲】
【請求項１】
垂直方向に立設される支柱と、支柱の上端部から平行方向に延出するアームと、アーム
の先端部に配設されてランプを収納する灯具と、を備え、灯具は、前記垂直方向から見た
ときにアームの延出方向に対して交差方向にスライド自在に支持されることを特徴とする
照明器具。
【請求項２】
灯具の前記スライド範囲を規制するための規制手段を備えることを特徴とする請求項１
記載の照明器具。
【請求項３】
アームは、灯具を支持する本体部と、一端部が支柱の上端部に支持されて他端部で本体
部を前記延出方向に沿ってスライド自在に支持する支持部とから構成されることを特徴と
する請求項１または２記載の照明器具。
【発明の詳細な説明】
【技術分野】
【０００１】
本発明は、スタンド型の照明器具に関するものである。
【背景技術】
【０００２】
従来より、作業机や学習机等に設置されるスタンド型の照明器具が種々提供されている
。ここで、図７に示される照明器具９０は、特許文献１に記載されるものであり、スタン
ド型の照明器具の一例である。照明器具９０は、図示しない机に固定される基部９１と、
基部９１から立設される支柱９２と、支柱９２の上端部から延出するアーム９３と、アー
ム９３の先端部に配設されてランプ（図示せず）を収納する灯具９４とを備える。そして
、支柱９２は基部９１に、アーム９３は支柱９２に、灯具９４はアーム９３により各々図
７中の左右方向に首振り自在に支持される。また、灯具９４は、図７中の上下方向から見
たときにアーム９３の先端部を軸心に回動自在に支持される。従って、灯具９４を柔軟に
変位させて効果的に机上面へ配光することが可能となっている。
【０００３】
しかし、特許文献１に記載の照明器具９０は、灯具９４を変位させようとすると支柱９
２やアーム９３が邪魔になる恐れがあった。すなわち、灯具９４を図７中の左方へ変位さ
せるには支柱９２及びアーム９３を基部９１より左方へ倒す必要があり、支柱９２及びア
ーム９３が机上の照明空間内に入り込んでしまって机上での作業性を悪くする恐れがあっ
た。また、灯具９４を図７中の下方へ変位させるには支柱９２を基部９１より右方へ倒し
ながらアーム９３を左方へ倒す必要があり、基部９１より右方に所望の空間を確保しなく
てはいけなかった。
【０００４】
一方、図８に示される照明器具１００は、特許文献２に記載されるものであり、スタン
ド型の照明器具の他の一例である。照明器具１００は、基部１０１と、基部１０１から垂
直方向に立設される支柱１０２と、支柱１０２の上端部から平行方向に延出するアーム１
０３と、アーム１０３の先端部に配設される灯具１０４とを備える。そして、アーム１０
３は、前記垂直方向から見たときに支柱１０２の上端部を軸心に回動自在に支持され、灯
具１０４は、アーム１０３の先端部を軸心に回動自在に支持される。更にアーム１０３は
、灯具１０４に対して延出方向に沿ってスライド自在な構造を有している。従って、特許
文献２の灯具１０４は、支柱１０２やアーム１０３が邪魔になることはない。
【先行技術文献】
【特許文献】
【０００５】
【特許文献１】特開２０００−６７６３６号公報
【特許文献２】特開２０００−３４０３７５号公報
【発明の概要】
【発明が解決しようとする課題】
【０００６】
しかしながら、特許文献２に記載される照明器具１００の灯具１０４は、特許文献１の
灯具９４と同様に、垂直方向から見たときにアーム１０３の延出方向に対して交差する方
向に沿った変位が不可能であり、前記交差方向に対して灯具１０４に収納されるランプの
照射範囲を移動させるには、例えば机に固定される基部１０１自体を移動させるしかなく
、作業性が悪いという問題があった。また、灯具１０４の前記交差方向に沿った変位は不
可能であっても、灯具１０４を支柱１０２の上端部やアーム１０３の先端部を軸心に回動
させることで、ある程度であればランプの照射範囲を前記交差方向へ移動させることがで
きる。しかし、灯具１０４のセード１０４ａが図８に示すように略細長板状に形成された
ものであれば、前記回動にともないセード１０４ａの長手方向両端部のうちの一方が前方
へ移動するため、灯具１０４が作業の邪魔となる恐れがあった。
【０００７】
本発明は上記事由に鑑みて為されたものであり、その目的は、周囲に対して邪魔になり
にくく、且つ効率良く配光することができる照明器具を提供することにある。
【課題を解決するための手段】
【０００８】
請求項１の発明は、上記目的を達成するために、垂直方向に立設される支柱と、支柱の
上端部から平行方向に延出するアームと、アームの先端部に配設されてランプを収納する
灯具と、を備え、灯具は、前記垂直方向から見たときにアームの延出方向に対して交差方
向にスライド自在に支持されることを特徴とする。
【０００９】
この発明によれば、灯具は、前記垂直方向から見たときにアームの延出方向に対して交
差方向にスライド自在に支持されるので、灯具の前記交差方向に沿ったスライドによる変
位が可能となり、灯具に収納されるランプの照射範囲を前記交差方向に沿って移動させる
ことができる。また、前記スライドの際に従来の照明器具のように灯具の一部が延出方向
へも移動してしまうといったことがなく、灯具が作業の邪魔になることがない。従って、
周囲に対して邪魔になりにくく、且つ効率良く配光することができる。
【００１０】
請求項２の発明は、請求項１の発明において、灯具の前記スライド範囲を規制するため
の規制手段を備えることを特徴とする。
【００１１】
この発明によれば、灯具の前記スライド範囲を規制するための規制手段を備えるので、
灯具の前記交差方向に沿った無理な移動を抑え、灯具やアーム内に配線される電線の破損
を防ぐことができる。
【００１２】
請求項３の発明は、請求項１または２の発明において、アームは、灯具を支持する本体
部と、一端部が支柱の上端部に支持されて他端部で本体部を前記延出方向に沿ってスライ
ド自在に支持する支持部とから構成されることを特徴とする。
【００１３】
この発明によれば、アームは、支持部に対して本体部をスライドさせることで、本体部
に支持される灯具を前記延出方向に沿って変位させることができる。
【発明の効果】
【００１４】
本発明では、周囲に対して邪魔になりにくく、且つ効率良く配光することができるとい
う効果がある。
【図面の簡単な説明】
【００１５】
【図１】本発明の実施形態の前方斜視図である。
【図２】同上における後方斜視図である。
【図３】同上における支柱を示し、（ａ）は要部斜視図で、（ｂ）は第２の支柱の要部斜視図である。
【図４】同上におけるアームの要部斜視図である。
【図５】同上における灯具及びアームを示し、（ａ）は後方斜視図で、（ｂ）は要部断面図である。
【図６】（ａ）及び（ｂ）は同上における照明器具を学習机に設置したときの説明図である。
【図７】特許文献１に記載される照明器具の外観図である。
【図８】特許文献２に記載される照明器具の外観図である。
【発明を実施するための形態】
【００１６】
以下、本発明の実施形態について、図１〜図６を参照して説明する。尚、以下では特に
断りのない限り図１において前後左右上下方向を規定して説明を行う。本実施形態の照明
器具１は、図１及び図２に示すように、基部２と、支柱３と、アーム４と、灯具５と、を
備え、例えば作業机や学習机等に設置されるスタンド型の照明器具である。ここで本実施
形態の灯具５に取り付けられるランプ（光源）は、直管型の蛍光ランプとして説明するが
、この限りではなく例えばＬＥＤ（発光ダイオード）や白熱電球であってもよい。
【００１７】
支柱３は、図１〜図３に示すように、上端部が開口する細長有底角筒状に形成された第
１の支柱３１と、上下端部が開口する細長角筒状に形成されて下端部が第１の支柱３１の
前記開口より挿入係止する第２の支柱３２とから構成され、全体として上下方向に立設さ
れる。第１の支柱３１の下端部にはＬ字板状に形成された基部２が突設されており、基部
２を例えば図示しない机上面に形成された係合溝に差し込むことにより照明器具１が机に
設置される。一方、第２の支柱３２の上端部にはアーム４が内部で連通して一体に取り付
けられている。
【００１８】
そして、第２の支柱３２は、第１の支柱３１の前記開口より挿入されるとともに第１の
支柱３１によって上下方向に対してスライド自在に支持される。ここで第１、及び第２の
支柱３１，３２は、図１及び図３に示すように、前記スライドを規制するための留め具３
３と溝部３４を各々備える。留め具３３は、図１及び図３に示すように、第１の支柱３１
前面の上方に配設されており、略円板状に形成される頭部３３ａと、頭部３３ａ裏面に突
設される筒部３３ｂと、筒部３３ｂの先端に固着される矩形片３３ｃと、から構成される
。そして、筒部３３ｂは第１の支柱３１前面の内部に連通する挿通孔（図示せず）に挿通
され、矩形片３３ｃは第１の支柱３１内部に配置され、頭部３３ａのみが第１の支柱３１
前面より外部に露出される。
【００１９】
一方、溝部３４は、図３（ｂ）に示すように、第２の支柱３２前面の下方に上下方向に
沿って内部に連通するように形成される。但し、溝部３４の左右方向寸法は、筒部３３ｂ
の左右方向寸法と略等しくしている。また、溝部３４には矩形片３３ｃの外形と略同形に
形成されて内部に連通する複数の嵌合部３４ａが等間隔に並設される。
【００２０】
ここで、留め具３３は、例えば図示しないバネ体により前方へ弾性付勢された状態で、
図３（ｂ）に示すように、矩形片３３ｃが溝部３４の何れかの嵌合部３４ａに嵌合してい
る。第１の支柱３１の外部から頭部３３ａを前記バネ体の付勢力に抗して押圧すると、矩
形片３３ｃが嵌合部３４ａから後方に抜けて筒部３３ｂが溝部３４を上下方向にスライド
自在となり、第２の支柱３２を上下方向に沿ってスライドさせることができる。第２の支
柱３２を上下方向に沿ってスライドしながら頭部３３ａの押圧を解除すると、留め具３３
が再び前記バネ体により前方へ弾性付勢されて、矩形片３３ｃが第２の支柱３２の前壁部
の内面を前方へ押圧しながら前記内面を上下方向に摺動する。そして、矩形片３３ｃが他
の嵌合部３４ａに到達すると、前記バネ体の付勢力により嵌合して再び第２の支柱３２の
スライドが規制される。すなわち、頭部３３ａの押圧により規制が解除されて第２の支柱
３２がスライド自在となり、前記押圧の解除により矩形片３３ｃが複数の嵌合部３４ａの
中から択一的に嵌合して第２の支柱３２のスライドが規制される。
【００２１】
アーム４は、図１、図２及び図４に示すように、全体として帯板状に形成されて支柱３
の上端部から前方に延出しており、灯具５を支持する本体部４１と、後端部が支柱３の上
端部に支持されて前端部で本体部４１を前後方向に沿ってスライド自在に支持する支持部
４２とから構成される。
【００２２】
支持部４２は、図１、図２及び図４に示すように、左右方向に延びる横立部４２ａと、
横立部４２ａの左右両端部から前方へ延設される一対の延出部４２ｂ，４２ｂとから構成
され、上下方向から見たときに略コ字形状に形成される。延出部４２ｂ，４２ｂは、図４
に示すように、互いに対向する側面に後方から前端部に亘って内側に窪んで形成されるレ
ール溝４２ｃを有する。
【００２３】
本体部４１は、扁平な矩形箱状に形成されており、内部には灯具５の図示しない蛍光ラ
ンプを点灯させるための高周波電圧を供給する点灯装置（図示せず）が収納される。本体
部４１背面には配線口（図示せず）が貫設されており、横立部４２ａ前面の前記配線口と
対向する位置には横立部４２ａ内部に連通する導入口（図示せず）が設けられている。そ
して、一端部が前記点灯装置の入力端子に接続される電源線（図示せず）は、前記配線口
を通じて本体部４１外部に導出され、前記導入口より横立部４２ａ内部に導入されて連通
する支柱３内部を伝って下方へ配線される。前記電源線の他端部は、支柱３背面の下方か
ら導出される電源コードと導通しており、その電源コードの導出側端部に配設されるプラ
グを室内コンセントに差し込むことで商用電源が前記点灯装置に供給される。
【００２４】
本体部４１の左右両端部には、図４に示すように、各々外側に向かって突出するスライ
ドレール４１ａが本体部４１の後端部から前方に亘って形成される。そして、スライドレ
ール４１ａ，４１ａが支持部４２のレール溝４２ｃ，４２ｃに各々前方から後方へスライ
ド嵌合されることで、本体部４１が支持部４２に前後方向に沿ってスライド自在に支持さ
れる。但し、スライドレール４１ａ，４１ａの後端部には各々図示しない鍔部が突設され
ており、前記鍔部がレール溝４２ｃ前方の周縁部に係止することで本体部４１の支持部４
２前方からの抜け落ちを防ぐ。また、本実施形態の前記電源線にはカールコードを用いて
おり、上述したように本体部４１を前後方向にスライド移動させても伸縮作用により前記
電源線が断ち切れることはない。
【００２５】
灯具５は、横長のセード５１内の両端部に配設される一対のソケット（図示せず）を介
して光源として直管型の蛍光ランプ（図示せず）が着脱自在に装着されており、セード５
１の長手方向を左右方向に向けながらアーム４の先端部に配設される。ここで、セード５
１の背面中央部には、図５（ａ）に示すように、長手方向に沿って形成された細長のスラ
イド溝５２が設けられている。そして、アーム４の前端部に左右両端に亘って前方に突設
されるスライド段部４１ｂがスライド溝５２に対して左右方向からスライド嵌合されるこ
とで、灯具５は、上下方向から見たときにアーム４の延出方向（前後方向）に対して交差
方向（左右方向）にスライド自在に支持される。すなわち、本実施形態の灯具５は、左右
方向に沿ったスライドによる変位が可能であり、灯具５に収納される蛍光ランプの照射範
囲を左右方向に沿って移動させることができる。
【００２６】
また、スライド溝５２内には、図５（ｂ）に示すように、凹部５２ａが左右両端に亘っ
て各々形成される。そして、スライド段部４１ｂに左右両端に亘って突設される凸部４１
ｃが凹部５２ａに嵌合することで、灯具５がアーム４から抜け落ちることはない。
【００２７】
スライド溝５２内には、図５（ａ）及び（ｂ）に示すように、２本のランプ線６が左右
方向に沿って配線される（図中では１本のみ図示）。この２本のランプ線６は、一端部が
本体部４１内に収納される点灯装置の出力端子に接続されて、スライド段部４１ｂの前面
に貫設される導出口（図示せず）を通じてスライド溝５２内に導出される。そして、導出
された２本のランプ線６はスライド溝５２内を伝って右方と左方とへ各々分かれて配線さ
れて、セード５１の両端部に配設されるソケットに各々接続される。すなわち、前記ソケ
ットに装着される蛍光ランプは、２本のランプ線６を通じて本体部４１内部の点灯装置か
ら高周波電圧が供給される。尚、本実施形態のランプ線６は、図５に示すようにカールコ
ードを用いているので、灯具５を左右方向にスライド移動させても伸縮作用により断ち切
れることはない。
【００２８】
更に、灯具５の左右方向に沿ったスライド範囲は、スライド溝５２の左右両端部により
規制されており、スライド溝５２の長手方向寸法以上に移動させることはできない。従っ
て、灯具５の左右方向に沿った無理な移動を抑え、灯具５及びアーム４内に配線されるラ
ンプ線６の破損を防ぐことができる。
【００２９】
以下、本実施形態の照明器具１が学習机７に設置されたときの作用について図６を参照
しながら説明する。尚、学習机７は、図６に示すように、机７１と、机７１の机天板７１
ａ右下に設置されたワゴンデスク７２と、机天板７１ａ左下に配置される椅子７３と、机
天板７１ａの後端部周縁に立設される机上棚７４と、から構成される。そして、本実施形
態の照明器具１は、例えば机天板７１ａ後端の左右方向中心部に形成された係合溝に基部
２を差し込んで、灯具５が机上棚７４の棚板７４ａの下部に位置するように設置される。
【００３０】
ここで、人８が椅子７３に座って机天板７１ａ上で読み書き等の作業を行う場合、図６
（ａ）に示すように、灯具５を左方へスライドさせることで机天板７１ａの左半分を効率
良く照らすことができる。また、図６（ｂ）に示すように、机天板７４ａの左方にパーソ
ナルコンピュータ（以下、パソコンと略称）のディスプレイ９を載置して、人８が椅子７
３に座ってパソコンを使用する場合、灯具５がディスプレイ９の真上付近に位置している
と、逆に明る過ぎてディスプレイ９に表示される文字等が見づらくなる。そこで、図６（
ｂ）に示すように、灯具５を右方へスライドさせることで最適な配光を行うことができる
。更に、前記スライドの際に、従来の照明器具９０や照明器具１００の灯具９４、１０４
のように灯具５の一部が前方に移動して人８の頭上近傍に寄ってくるといったことがなく
、灯具５が作業の邪魔になることはない。従って、本実施形態の照明器具１は、周囲に対
して邪魔になりにくく、且つ効率良く配光することができる。
【００３１】
尚、本実施形態の灯具５は、上述してきた通り、左右方向に沿ったスライドによる変位
だけでなく、上下方向に沿ったスライドによる変位や前後方向に沿ったスライドによる変
位も可能であることは言うまでもない。
【符号の説明】
【００３２】
１  照明器具
２  基部
３  支柱
４  アーム
５  灯具
６  ランプ線
３１  第１の支柱
３２  第２の支柱
３３  留め具
４１  本体部
４１ｂ  スライド段部
４１ｃ  凸部
４２  支持部
５１  セード
５２  スライド溝
５２ａ  凸部
【図１】
2011060515.tif 000003
【図２】
2011060515.tif 000004
【図３】
2011060515.tif 000005
【図４】
2011060515.tif 000006
【図５】
2011060515.tif 000007
【図６】
2011060515.tif 000008
【図７】
2011060515.tif 000009
【図８】
2011060515.tif 000010